(57)【特許請求の範囲】
【請求項１】
画像データ通信によって受信したカラー画像データを所定の記録用紙にカラー印字可能な画像通信装置であって、
画像データを記憶する記憶手段と、
前記画像データ通信によって受信したカラー画像データを白黒画像データに変換するデータ変換手段と、
前記画像データを前記記憶手段に代行受信するときに、前記カラー画像データの一部を受信し、前記データ変換手段で白黒画像データに変換した後、前記記憶手段に記憶させる動作を繰り返して前記画像データ通信により受信すべき全カラー画像データの代行受信を行う代行受信制御手段と、
備えていることを特徴とする画像通信装置。
【請求項２】
前記記憶手段の記憶残量が所定量以下であるか否かを判別する判別手段をさらに備え、
前記代行受信制御手段は、前記記憶手段の記憶残量が所定量以下の状態で前記カラー画像データを代行受信するときに、前記カラー画像データの一部を受信し、前記データ変換手段で白黒画像データに変換した後、前記記憶手段に記憶させる動作を繰り返して前記画像データ通信により受信すべき全カラー画像データの代行受信を行うことを特徴とする請求項１に記載の画像通信装置。
【請求項３】
画像データ通信で受信したカラー画像データを白黒画像データに変換した場合には、この白黒画像データがカラー画像データから変換されたものである旨を示す事項が記録用紙に印字出力され、または表示部に表示出力されるように構成されていることを特徴とする請求項１又は２に記載の画像通信装置。
【発明の詳細な説明】
【０００１】
【発明の属する技術分野】
本発明は、画像データ通信によって受信したカラー画像データを所定の記録用紙にカラー印字可能な画像通信装置に関するものである。
【０００２】
【従来の技術】
従来、画像通信装置の一例としてのカラーファクシミリ装置は、ファクシミリ通信によってカラー画像データを受信した場合には、常に、この受信した画像データをカラー画像のデータとして取り扱うように構成されていた。すなわち、従来のカラーファクシミリ装置では、受信したカラー画像データをメモリへ記憶させる場合には、カラー画像データのままメモリに記憶させていた。また、記録部へ転送して記録用紙に印字出力させる場合にも、カラー画像データを記録部へ転送させるようにしていた。
【０００３】
【発明が解決しようとする課題】
しかしながら、従来のカラーファクシミリ装置では、実際の使用に際して、次のような課題があった。
【０００４】
すなわち、カラー画像データは、赤、緑、青（Ｒ，Ｇ，Ｂ）の各色の階調を表す少なくとも三種類のデータによって構成されているのが通例であり、「０」または「１」のデジタル信号に２値化されている白黒画像データと比較すると、同一原稿の画像であっても、そのデータ量は格段に多くなるのが実情である。従って、たとえばファクシミリ受信した画像データを順次メモリに蓄積してゆくいわゆる代行受信（メモリ受信）を実行する場合において、白黒画像データの受信ではそのメモリ容量に余裕がある場合であっても、データ量の多いカラー画像データを受信した場合には、そのメモリ容量が不足し、通信エラーを生じる場合があった。
【０００５】
また、カラーファクシミリ装置には、受信したカラー画像データをカラーインクを用いて記録用紙に印字出力するタイプのカラープリンタが組み込まれている場合があるが、このようなカラーファクシミリ装置では、カラーインクのインク切れ時には当然ながらカラー印字を行うことができない。ところが、従来のカラーファクシミリ装置では、このようにカラー印字が困難な状況下であっても、受信した画像データがカラー画像データである場合には、この画像データをカラー印字するようにデータ処理してしまう。従って、従来では、受信したカラー画像データを記録用紙へ適切に印字出力できず、受信した画像データの内容を確認できなくなる場合もあった。
【０００６】
その他、この種のカラーファクシミリ装置では、カラー印字が適切に行える場合、あるいは画像データを蓄積するためのメモリ容量に充分な余裕がある場合などであっても、カラーインクの節約やメモリ容量の確保などの種々の観点から、受信したカラー画像データを白黒画像データとして処理することを、ユーザーが望む場合がある。ところが、従来では、既述した通り、カラー画像データを受信した場合には、その後もこの画像データをカラー画像データとして処理してしまうために、上記のようなユーザーの要望には応えることはできなかった。
【０００７】
本発明は、上記の点に鑑みて提案されたものであって、カラー画像データを受信することに原因して、たとえばメモリ容量不足に原因する通信エラーや、受信した画像データの印字出力が困難になるといった不具合を生じないようにすることができ、またユーザーの要望にできる限り沿ったかたちでの使用を行うことができる画像通信装置を提供することを目的としている。
【０００８】
【課題を解決するための手段】
上記目的を達成するため、請求項１に記載した発明の画像通信装置は、画像データ通信によって受信したカラー画像データを所定の記録用紙にカラー印字可能な画像通信装置であって、画像データを記憶する記憶手段と、前記画像データ通信によって受信したカラー画像データを白黒画像データに変換するデータ変換手段と、前記画像データを前記記憶手段に代行受信するときに、前記カラー画像データの一部を受信し、前記データ変換手段で白黒画像データに変換した後、前記記憶手段に記憶させる動作を繰り返して前記画像データ通信により受信すべき全カラー画像データの代行受信を行わせる制御手段とを備えている。
【０００９】
また、請求項２に記載した発明の画像通信装置は、請求項１記載の画像通信装置であって、前記記憶手段の記憶残量が所定量以下であるか否かを判別する判別手段をさらに備え、前記代行受信制御手段は、前記記憶手段の記憶残量が所定量以下の状態で前記カラー画像データを代行受信するときに、前記カラー画像データの一部を受信し、前記データ変換手段で白黒画像データに変換した後、前記記憶手段に記憶させる動作を繰り返して前記画像データ通信により受信すべき全カラー画像データの代行受信を行うように構成されている。
【００１０】
【００１１】
【００１２】
【００１３】
また、請求項３に記載した発明の画像通信装置は、請求項１又は２に記載の画像通信装置であって、画像データ通信で受信したカラー画像データを白黒画像データに変換した場合には、この白黒画像データがカラー画像データから変換されたものである旨を示す事項が記録用紙に印字出力され、または表示部に表示出力されるように構成されている。
【００１４】
【発明の実施の形態】
以下、本発明の好ましい実施の形態を、図面を参照しつつ具体的に説明する。
【００１５】
図１は、本発明に係る画像通信装置の具体例としてのカラーファクシミリ装置Ｆの一例を示す回路ブロック図である。このカラーファクシミリ装置Ｆは、ＣＰＵ１、ＮＣＵ２、ＲＡＭ３、モデム４、ＲＯＭ５、ゲートアレイ６、読取部７、表示部８、記録部９、および操作部１０などを備えている。ＣＰＵ１、ＮＣＵ２、ＲＡＭ３、モデム４、ＲＯＭ５、およびゲートアレイ６は、バス線により相互に接続されている。ゲートアレイ６には、読取部７、表示部８、記録部９、および操作部１０が接続されている。
【００１６】
ＣＰＵ１は、カラーファクシミリ装置Ｆの全体を制御するものであり、本発明にいう制御手段の一例に相当する。また、このＣＰＵ１は、後述するようにカラー画像データを白黒画像データに変換する機能をも有している。
【００１７】
ＮＣＵ２は、電話回線２１に接続されて網制御を行う。ＲＡＭ３は、各種のデータなどを記憶するものであるが、ファクシミリ受信した画像データや、読取部７で原稿を読取走査して得られる画像データなどを記憶する画像メモリとしての役割も果たす。モデム４は、送信データの変調や受信データの復調などを行う。ＲＯＭ５は、各種のプログラムなどを記憶するものである。
【００１８】
ゲートアレイ６は、ＣＰＵ１の入出力インターフェイスとして機能する。読取部７は、ＣＣＤや三色の色分解フィルタや原稿送りモータなどを備えており、原稿を読み取ってＲ，Ｇ，Ｂのカラー信号を出力する。表示部８は、ＬＣＤなどからなり、ＣＰＵ１により制御されて各種の表示を行う。
【００１９】
記録部９は、たとえばインクジェットカラープリンタによって構成されており、シアン、マゼンタ、イエローの計三色のカラーインク、あるいはこれらにブラックを加えた計四色のカラーインクによって、所定の記録用紙にカラー印字が可能である。この記録部９には、カラーインクの残量を検出するためのカラーインク残量検知センサ９ａが具備されており、いずれか１種類のカラーインクの残量が予め設定された所定の残量よりも少なくなったときには、その旨の信号がＣＰＵ１に対して出力されるように構成されている。
【００２０】
カラーインク残量検知センサ９ａの一例としては、たとえばカラーインクを収容するインクタンクあるいはインクカートリッジ内の所定高さに一対の電極を配置させておき、この一対の電極よりもインク液面が下がったときの電極間の電気抵抗値の変化などに基づいてインク残量を検出するタイプのセンサを採用可能である。ただし、本発明はこのようなセンサに代えて、光学的にカラーインク残量を検出するセンサなどの他の種類の検知手段を採用することもできる。また、本発明では、後述するように、インク残量があるか否かのみを検知する検知手段を採用してもよい。
【００２１】
操作部１０は、キースイッチ群などからなり、使用者の操作に応じた信号を出力する。この操作部１０には、画像データ変換選択スイッチ１０ａが設けられており、この画像データ変換選択スイッチ１０ａをＯＮにすると、所定の信号がＣＰＵ１に出力され、このカラーファクシミリ装置Ｆはファクシミリ受信した画像データを白黒画像データに変換するモードに設定されるようになっている。
【００２２】
具体的には、ＣＰＵ１は、画像データ変換選択スイッチ１０ａがＯＮに設定されていない通常モードのときには、ファクシミリ通信の実行によってカラー画像データを受信すると、このカラー画像データを復号化した後に、この復号化したカラー画像データをカラーファクシミリ装置Ｆの受信モード（たとえば代行受信モード、あるいは記録部９を作動させて受信した画像データを記録部９で印字出力させながらファクシミリ受信を実行するモードなど）に応じて処理するように構成されている。これに対し、画像データ変換選択スイッチ１０ａがＯＮに設定されている場合には、ＣＰＵ１は、復号化処理を終えたカラー画像データを、２値化された白黒画像データに変換する。そして、この白黒画像データに変換した画像データを、このカラーファクシミリ装置Ｆの受信モードに応じて処理するようになっている。
【００２３】
また、ＣＰＵ１は、前記画像データ変換選択スイッチ１０ａがＯＮにされていない通常モード時であっても、記録部９を作動させながらファクシミリ受信を実行する受信モードの場合には、ＣＰＵ１がカラーインク残量検知センサ９ａからインク残量が所定量以下である旨の信号を受信していると、やはり復号化を終えたカラー画像データを白黒画像データに変換するように構成されている。
【００２４】
更に、ＣＰＵ１は、上記とは異なり代行受信を実行するときには、ファクシミリ受信の開始時においてＲＡＭ３にアクセスし、このＲＡＭ３のうち画像データを記憶可能なメモリ残量（メモリの空き容量）を算出する。そして、このメモリ残量が予め設定されている所定の残量よりも少ないと判断したときには、やはりＣＰＵ１は、前記同様に、復号化を終えたカラー画像データを白黒画像データに変換するように構成されている。
【００２５】
なお、上記したようなＣＰＵ１による画像データの変換処理は、カラー画像データを白黒画像データに変換するだけであって、白黒画像データを受信した場合には、この白黒画像データを復号化してから通常の白黒用ファクシミリ装置の場合と同様な処理がなされる。
【００２６】
また、ＣＰＵ１は、受信したカラー画像データを白黒画像データに変換した場合には、その旨のデータをＲＡＭ３へ記憶させる。そして、カラーから白黒に変換された画像データが、記録部９において記録用紙に印字出力されるときには、ＣＰＵ１は、この記録用紙の上端部などの特定箇所にその画像データがカラー画像データから変換されたことを示す文字などが印字出力されるようにデータ処理を行う。具体的には、たとえば図２に示すように、カラー画像データを白黒画像データに変換して得られた画像Ａを記録用紙Ｋに印字出力したときには、この記録用紙Ｋの上端部のファクシミリ通信の日時やページ数などを表示する部分の近傍に、「カラー⇒白黒」と表示した表示部Ｎを印字出力させるように、ＣＰＵ１はデータ処理を行う。
【００２７】
さらに、ＣＰＵ１は、通信管理レポートを出力するときには、カラー画像データから白黒画像データに変換されたものについては、その旨の表示を行うように通信管理レポートのデータ処理を実行する。具体的には、たとえば図３に示すように、記録用紙Ｋに通信管理レポートを印字出力させた場合には、受信したカラー画像データを白黒画像データに変換して処理したファクシミリ通信に該当する所定欄に、「カラー⇒白黒」と表示した表示部Ｎａを印字出力させるように、ＣＰＵ１はデータ処理を行う。
【００２８】
このような表示部Ｎ，Ｎａの印字出力は、これら表示部Ｎ，Ｎａの画像を作成するための所定のキャラクタコードデータを、ＣＰＵ１が記録部９に送出することによって実行される。なお、カラー画像データが白黒画像データに変換された旨を知らせるための表示部Ｎ，Ｎａの具体的な内容は、上述した文字などに限定されず、それ以外の文字、記号、あるいは図形などによって表示させてもよいことは言うまでもない。
【００２９】
次に、ファクシミリ受信がなされる場合の処理手順について、図４に示すフローチャートを参照しながら説明する。
【００３０】
先ず、このカラーファクシミリ装置Ｆに呼出があり（Ｓ１：ＹＥＳ）、着信を行うと（Ｓ２）、その後ＣＰＵ１は、送信側（発呼側）の他のファクシミリ装置との相互間でプロトコル信号の相互伝送を実行した後に（Ｓ３）、１ライン分の画像データを受信する（Ｓ４）。そして、この受信した画像データの復号化処理を行う（Ｓ５）。
【００３１】
次いで、画像データ変換選択スイッチ１０ａがＯＦＦとされ、このカラーファクシミリ装置Ｆが通常モードに設定されている場合において（Ｓ６：ＮＯ）、代行受信モードが選択されている場合には（Ｓ７：ＹＥＳ）、ＣＰＵ１はＲＡＭ３にアクセスしてそのメモリ残量を算出する。そして、そのメモリ残量が所定量以上であると（Ｓ１９：ＮＯ）、ＣＰＵ１は前記復号化した画像データがカラー画像データであるか白黒画像データであるかを問うことなく、その画像データをＲＡＭ３に記憶させる（Ｓ２０）。
【００３２】
このようなＲＡＭ３への画像データの記憶処理は、ＲＡＭ３のメモリ残量が一定量以上であることが前提としてなされている。従って、受信した画像データが仮にデータ量の多いカラー画像データであっても、このＲＡＭ３のメモリ領域が直ちに満杯となってメモリ容量が不足するといったことが回避できる。
【００３３】
一方、前記代行受信を実行する場合において、ＲＡＭ３のメモリ残量が所定量以下である場合には（Ｓ１９：ＹＥＳ）、受信した画像データの種類に応じてその処理が相違することとなる。すなわち、受信した画像データが白黒画像データである場合には（Ｓ２１：ＮＯ）、この画像データをそのままＲＡＭ３に記憶させる（Ｓ２０）。ＲＡＭ３のメモリ残量が所定量以下であっても、データ量が比較的少ない白黒画像データであれば、ＲＡＭ３が直ちに満杯になってしまう虞れは少ない。
【００３４】
これに対して、受信した画像データがカラー画像データである場合には（Ｓ２１：ＹＥＳ）、ＣＰＵ１はこの画像データを白黒画像データに変換するとともに（Ｓ２２）、画像データのデータ変換を実行した旨のデータをＲＡＭ３に記憶させる。次いで、前記白黒画像データに変換した画像データをＲＡＭ３に記憶させる（Ｓ２０）。
【００３５】
ＲＡＭ３のメモリ残量が所定量以下である場合には、データ量の多いカラー画像データをそのままＲＡＭ３に記憶させたのでは、ＲＡＭ３のメモリ容量が満杯となる可能性が大きいが、上記のようにデータ量の少ない白黒画像データに変換すれば、そのような虞れを少なくすることが可能となる。
【００３６】
カラーファクシミリ装置Ｆによる代行受信は、画像データを１ライン分受信するごとに上記一連の処理が繰り返されてゆき、全ライン分の処理が終了すると（Ｓ１１：ＹＥＳ）、その後回線が遮断され（Ｓ１２）、ファクシミリ通信処理が終了する。
【００３７】
なお、前記代行受信の実行時において、受信したカラー画像データを白黒画像データに変換した場合には、その旨がＲＡＭ３に記憶されている（Ｓ２３）。従って、このファクシミリ受信に関しての通信管理レポートを出力させた場合には、図３に示した通り、画像データを変換した旨の表示部Ｎａを表示させることができる。その結果、これを見たカラーファクシミリ装置Ｆのユーザーは、この画像データは元々はカラー画像データであったことを知ることができ、カラー画像データを欲する場合には送信側の相手方に再度の送信を要求し、カラー画像データを入手することが可能となる。
【００３８】
また、前記とは異なり、画像データ変換選択スイッチ１０ａがＯＦＦであって（Ｓ６：ＮＯ）、代行受信が選択されていない場合には（Ｓ７：ＮＯ）、受信した画像データを記録部９で印字出力しながらファクシミリ受信が実行されることとなる。このような受信モードにおいて、ＣＰＵ１がカラーインク残量検知センサ９ａからインク残量が少ない旨の信号を受けていると（Ｓ８：ＹＥＳ）、受信した画像データがカラー画像データであるか白黒画像データであるかによって、次のようにその処理が相違することとなる。
【００３９】
すなわち、受信した画像データがカラー画像データである場合には（Ｓ１３：ＹＥＳ）、ＣＰＵ１はこれを白黒画像データに変換するとともに（Ｓ１４）、その変換の旨のデータをＲＡＭ３に記憶させる（Ｓ１５）。次いで、ＣＰＵ１はデータ変換の旨を表示するためのキャラクタコードデータを記録部９へ送出する（Ｓ９：ＹＥＳ，Ｓ２４，Ｓ２５）。その結果、記録部９では前記キャラクタコードデータを画像に変換し、たとえば図２に示したように、記録用紙Ｋの上端部などの所定箇所へ画像データを変換したことを示す表示部Ｎを印字出力する。また、ＣＰＵ１は、上記白黒画像データに変換した画像データについても記録部９へ転送する（Ｓ１０）。従って、記録用紙Ｋには、上記表示部Ｎに引き続き、受信した画像データがカラーインクを用いない白黒の画像Ａとして印字出力されることとなる。
【００４０】
このように、カラー画像データを白黒画像データとして記録用紙Ｋに印字出力する処理は、記録部９のカラーインク残量が所定量以下である場合に実行される。従って、受信したカラー画像データの印字出力がカラーインクのインク切れに原因して不可能になることはない。受信した画像データは白黒の画像Ａとして印字出力されるものの、ユーザーはこの画像Ａを見ることによって、通信内容の概要を充分に判断することが可能である。
【００４１】
また、前記白黒の画像Ａが印字された記録用紙Ｋには、画像データを変換した旨の表示部Ｎが印字出力されるために、やはりこれを見たユーザーは、カラー画像データを欲する場合には、送信側の相手方に対して再度の送信を適切に要求することができる。なお、表示部Ｎは、記録用紙Ｋに１箇所あればよい。従って、ＣＰＵ１がキャラクタコードデータを記録部９に１回送出すれば、少なくとも同一ページの画像処理においてその後繰り返してキャラクタコードデータを記録部９に送出することはない（Ｓ２４：ＹＥＳ）。
【００４２】
なお、前記の場合とは異なり、受信した画像データが白黒画像データである場合には（Ｓ１３：Ｎ０）、この白黒画像データが記録部９へ転送されてそのまま記録部９で印字出力される（Ｓ１０）。
【００４３】
一方、ＣＰＵ１がカラーインク残量検知センサ９ａからインク残量が少ない旨の信号を受けていない場合には（Ｓ８：ＮＯ）、受信したカラー画像データが白黒画像データに変換されることなく、記録部９へ転送される（Ｓ１０）。この場合には、記録部９の各色のカラーインクの残量が充分にあるために、ファクシミリ受信中にカラーインクが安易にインク切れとなるようなことが回避され、受信した画像データのカラー印字出力が適切に行える。
【００４４】
上記一連の各処理は、画像データ変換選択スイッチ１０ａがＯＦＦにされている場合（Ｓ６：ＮＯ）の処理であるが、この画像データ変換選択スイッチ１０ａがＯＮにされている場合（Ｓ６：ＹＥＳ）には、上記一連の処理とは異なり、次のような処理がなされる。
【００４５】
すなわち、受信した画像データが白黒画像データである場合には（Ｓ１６：ＮＯ）、ＣＰＵ１はこの白黒画像データをＲＡＭ３に記憶させ（Ｓ２０）、あるいは記録部９に転送して印字出力させる処理を実行する（Ｓ１０）に過ぎない。
【００４６】
これに対して、受信した画像データがカラー画像データであると（Ｓ１６：ＹＥＳ）、ＣＰＵ１はこれを白黒画像データに変換するとともに（Ｓ１７）、画像データを変換した旨のデータをＲＡＭ３に記憶させる（Ｓ１８）。このような処理は、ＲＡＭ３のメモリ残量やカラーインク残量の多少には関係無く実行される。次いで、ＣＰＵ１は、前記変換された白黒画像データを、このカラーファクシミリ装置Ｆが代行受信モードであるか否かに応じて、ＲＡＭ３に記憶させ（Ｓ２０）、または記録部９に転送して印字出力させる（Ｓ１０）。
【００４７】
従って、画像データ変換選択スイッチ１０ａがＯＮにされている場合には、受信した画像データが、カラー画像データであるか白黒画像データであるかには関係なく、常に白黒画像データとしてＲＡＭ３に記憶され、あるいは白黒画像として印字出力されることとなる。その結果、カラーファクシミリ装置Ｆのユーザーが、ＲＡＭ３のメモリ容量を確保したい場合、あるいはカラーインクの節約を図りたいような場合には、その要望に沿ったファクシミリ受信を適切に行うことが可能となる。また、受信した画像データがカラー画像データであった場合には、その旨のデータがＲＡＭ３に記憶されているために（Ｓ１８）、図２に示すように画像データを記録用紙Ｋに印字出力した場合には表示部Ｎを、また図３に示すように通信管理レポートを印字出力した場合には表示部Ｎａをそれぞれ印字させることができ、元の画像データがカラー画像データであった旨をユーザーに適切に知らせることができる。
【００４８】
なお、上記実施形態では、カラーインクジェットプリンタで構成された記録部のカラーインク残量が予め定められた所定量以下である場合に、受信したカラー画像データを白黒画像データに変換するように構成されているが、本発明はこれに限定されない。本発明では、たとえばカラーインクの残量の有無のみをセンサなどの検知手段によって検知できるように構成した上で、いずれか１色でもカラーインクの残量がゼロになっていれば、この場合にのみカラー画像データを白黒画像データに変換するように構成しても構わない。
【００４９】
また、本発明では、記録用紙へのカラー印字を行うための記録部がカラー印字不能な状態にある場合の具体例としては、上述したカラーインクのインク切れが生じた場合に限らない。記録部として、たとえば発色性の感熱記録用紙を用いるタイプのプリンタを用いたような場合には、この感熱記録用紙が記録部の所定位置へセットされていない場合、あるいは紙切れを生じているような場合も、カラー印字不能な状態であり、このような事態を生じているときに、受信したカラー画像データを白黒画像データに変換するように構成してもよい。
【００５０】
更に、上記実施形態では、代行受信を実行する場合において、ＲＡＭ３のメモリ残量が予め定められた所定の残量以下である場合にのみ、受信したカラー画像データを白黒画像データに変換するようにしているが、やはり本発明はこれに限定されない。本発明では、代行受信を実行する場合には、ＲＡＭ３のメモリ残量の多少には関係なく、常に、受信したカラー画像データを白黒画像データに変換させるようにしてもよい。このような構成にすれば、ＲＡＭ３のメモリ容量が比較的小容量であっても、このＲＡＭ３のメモリ領域がカラー画像データによって満杯になってしまう可能性を少なくできるという利点が得られる。
【００５１】
また、上記実施形態では、受信したカラー画像データを白黒画像データに変換した旨の表示が記録用紙に印字出力されるように構成しているが、やはり本発明はこれに限定されない。本発明では、たとえばＬＣＤなどで構成された表示部８においてその旨の表示出力がなされる構成としてもよい。
【００５２】
更に、本発明では、画像データ変換選択スイッチ１０ａは、それ専用の操作スイッチとして設けられている必要はなく、たとえばテンキーなどの複数のスイッチの組合せ操作によって、カラー画像データを白黒画像データに変換するモードに設定できるように構成しても構わない。
【００５３】
その他、本発明に係る画像通信装置の各部の構成は、上記実施形態のカラーファクシミリ装置に限定されず、各部の具体的な構成は種々に設計変更自在である。上記実施形態では、カラー画像データを白黒画像データに変換する処理をＣＰＵによって実行させているが、このような画像データの変換処理は、ＣＰＵとは別の手段によって実行させても無論構わない。
【００５４】
【発明の効果】
以上説明したように、請求項１に記載した発明の画像通信装置によれば、画像データの代行受信が実行されるとき、カラー画像データの一部を白黒画像データに変換した後、記憶手段に記憶させる動作を繰り返して全カラー画像データの代行受信を行うようにしているので、白黒画像データよりもデータ量の多いカラー画像データを記憶手段に蓄積させることによって前記記憶手段のメモリ容量が即座に満杯となってメモリ容量が不足する虞れを少なくすることができる。従って、メモリ容量不足に原因する通信エラーなどの発生頻度を少なくできるという利点が得られる。
【００５５】
とくに、請求項２に記載した発明の画像通信装置によれば、メモリ残量が予め定められた所定の残量以下の状態で代行受信を実行するときに、受信したカラー画像データを白黒画像データに変換して記憶手段に記憶させるので、白黒画像データよりもデータ量の多いカラー画像データを記憶手段に蓄積させることによって記憶手段のメモリ容量が即座に満杯となってメモリ容量が不足する虞れを確実に防止することができる。
【００５６】
【００５７】
【００５８】
【００５９】
更に、請求項３に記載した発明の画像通信装置によれば、受信したカラー画像データを白黒画像データに変換した場合には、この白黒画像データがカラー画像データから変換されたものである旨を示す事項が記録用紙に印字出力され、または表示部に表示出力されるように構成されているために、元々はカラー画像データであったものを白黒画像データとして処理した場合に、その旨を画像通信装置のユーザーに的確に知らせることができ、便利である。
【図面の簡単な説明】
【図１】  本発明に係る画像通信装置の具体例としてのカラーファクシミリ装置の一例を示す回路ブロック図である。
【図２】  受信したカラー画像データを白黒画像データに変換してから記録用紙に印字出力させた場合の一例を示す要部正面図である。
【図３】  通信管理レポートの一例を示す要部正面図である。
【図４】  本発明に係る画像通信装置の具体例としてのカラーファクシミリ装置の受信処理手順の一例を説明するフローチャートである。
【符号の説明】
１  ＣＰＵ（制御手段）
３  ＲＡＭ（メモリ）
８  表示部
９  記録部
１０  操作部
１０ａ  画像データ変換選択スイッチ
【図１】
0003718885.tif 000002
【図２】
0003718885.tif 000003
【図３】
0003718885.tif 000004
【図４】
0003718885.tif 000005